(57)【要約】本発明である腰痛治療用ガードルは、正面の上部に設けた帯から股間部にかけてファスナーを縦方向に設けた逆三角形状の押え部を設けるとともに背面には縦方向に縫着部を設けるとともに右大腿部及び左大腿部からなり、前記押え部の左方には左係止部材を右方には右係止部材を設けたガードル本体と、前記ガードル本体の左端部の中央に片面に係止具を取り付けた左係止部材を先端に取り付けた左伸縮バンドと、前記ガードル本体の右端部の中央に片面に係止具を取り付けた右係止部材を先端に取り付けた右伸縮バンドとからなり、前記左伸縮バンドは左上がりになるようにガードル本体に取り付けるとともに、前記右伸縮バンドは右上がりとなるようにガードル本体に取り付けたことを特徴とする腰痛治療用ガードルである。
2002049549.tif 000002
【特許請求の範囲】
【請求項１】
正面の上部に設けた帯から股間部にかけてファスナーを縦方向に設けた逆三角形状の押え部を設けるとともに背面には縦方向に縫着部を設けるとともに右大腿部及び左大腿部からなり、前記押え部の左方には左係止部材を右方には右係止部材を設けたガードル本体と、前記ガードル本体の左端部の中央に片面に係止具を取り付けた左係止部材を先端に取り付けた左伸縮バンドと、前記ガードル本体の右端部の中央に片面に係止具を取り付けた右係止部材を先端に取り付けた右伸縮バンドとからなり、前記左伸縮バンドは左上がりになるようにガードル本体に取り付けるとともに、前記右伸縮バンドは右上がりとなるようにガードル本体に取り付けたことを特徴とする腰痛治療用ガードル。
【請求項２】
左伸縮バンドを上左伸縮バンドと下左伸縮バンドとするとともに、右伸縮バンドを上右伸縮バンドと下右伸縮バンドとしたことを特徴とする請求項１に記載の腰痛治療用ガードル。
【請求項３】
股間部の真上に開閉部を設けたことを特徴とする請求項１又は請求項２に記載の腰痛治療用ガードル。
【請求項４】
股間部の上方に交差バンド部を設けたことを特徴とする請求項１又は請求項２に記載の腰痛治療用ガードル。
【請求項５】
股間部の上方に水平バンド部を設けたことを特徴とする請求項１又は請求項２に記載の腰痛治療用ガードル。
【請求項６】
整形部材をガードル本体の背面の内側面に縫着したことを特徴とする請求項１又は請求項２に記載の腰痛治療用ガードル。
【発明の詳細な説明】
技術分野
本発明は、腰痛を和らげ腰を楽にさせる腰痛治療用ガードルの改良に関する発明である。
背景技術
従来、実用新案登録公報第２０１０８６６号に掲載されている「体型補正用ガードル」及び特開平１０−８３０３号の公開特許公報に掲載されている「ガードル」は存在している。
しかしながら、従来のガードルを装着する対象は、大殿筋の機能低下や損傷などから腰痛をもった大人から子供、老若男女等が対象である。
一般に市販されているガードルは、ＬＭＳなどの標準サイズの規格品だけで個人個人の体型にぴったり微調節することができるガードルがなく、しかも、一日中装着した場合や歩くなどの行動しなければならない場合に装着部分からずれが生じ再度重度の腰痛になる。
また、太った人が装着し特に座ったりする場合、腹部が衣類と腹部のみの調節機能しかないガードルのため、２重に圧迫され極めて窮屈で不快である。
更に、従来のガードルの目的は、体型の補整を主目的とするものであり、腰痛を短期間に治療すること、排尿時迅速に対処できること、臀部を上げることで下半身を美しく見せる美容効果の機能を上げること、以上の項目に挙げた機能性に優れたことを目的とするガードルは存在しなかった。
そこで、本発明は、着用していても圧迫感がなく快適に装着でき、体型を補整するとともに腰痛箇所の要部に限らず腰全体に予防から治癒、リハビリまで含めた包括医療できるため極めて短期間に治療・完治し、排尿時の利便性を向上し、下半身を極めて美しく見せる美容効果の機能性に優れた腰痛治療用ガードルを提供することを目的とするものである。
発明の開示
本発明は、正面の上部に設けた帯から股間部にかけてファスナーを縦方向に設けた逆三角形状の押え部を設けるとともに背面には縦方向に縫着部を設けるとともに右大腿部及び左大腿部からなり、前記押え部の左方には左係止部材を右方には右係止部材を設けたガードル本体と、前記ガードル本体の左端部の中央に片面に係止具を取り付けた左係止部材を先端に取り付けた左伸縮バンドと、前記ガードル本体の右端部の中央に片面に係止具を取り付けた右係止部材を先端に取り付けた右伸縮バンドとからなり、前記左伸縮バンドは左上がりになるようにガードル本体に取り付けるとともに、前記右伸縮バンドは右上がりとなるようにガードル本体に取り付けたことを特徴とする腰痛治療用ガードルとした。
発明を実施するための最良の形態
本発明である腰痛治療用ガードルについて、添付図面に基づいて詳細に説明する。
図１から図４までは、本発明である腰痛治療用ガードルの第１実施例を示した図である。図１は本発明である腰痛治療用ガードルの第１実施例を示し伸縮バンドを巻き付ける前の正面図、図２は伸縮バンドを巻き付ける前の背面図、図３は伸縮バンドを巻き付けた後の正面図、図４は伸縮バンドを巻き付けた後の背面図である。
図１に示すように、本発明である腰痛治療用ガードル１は、右足の右大腿部を挿入する右足挿通口５ａが形成されている右大腿部５及び左足の左足大腿部を挿入する左足挿通口６ａが形成されている左大腿部６を有するガードル本体２と前記ガードル本体２の左端部及び右端部に取り付けられている左右伸縮バンド３、４からなる。
前記左右伸縮バンド３、４の素材は、伸縮可能な素材、例えば、ゴム製の伸縮バンドとする。特に、夏場は通気性に優れたメッシュ状の素材を使用することが良い。また、冬場は伸縮性のある素材を使うことで、季節に応じて機能的に使い分けできる。
ガードル本体２の上部には帯１１が設けられているとともに、ガードル本体２の正面には前記帯１１から股間部２ａにかけて全体が逆三角形状の押え部１２が形成されている。前記逆三角形状の押え部１２には、厚芯が内部に挿入されている左右繋ぎ目１２ａ、１２ｂがある。
前記左右伸縮バンド３、４の先端には左右係止部材３ａ、４ａが縫着又は前記左右伸縮バンド３、４の先端に一体的に形成されている。前記左右繋ぎ目１２ａ、１２ｂの下端は股間部２ａに接続する。
図１に示すように、ガードル本体２の上部には、複数の半円状の飾り付きの帯１１が取り付けられていて、逆三角形状の押え部１２の中央部には縦方向にファスナー９が取り付けられている。符号１０は、前記ファスナー９を開閉するための開閉金具である。
そして、前記押え部１２の左繋ぎ目１２ａの左方に略台形形状に形成されている左係止部材７が取り付けられているとともに、前記押え部１２の右繋ぎ目１２ｂの右方には右係止部材８が取り付けられている。前記ガードル本体２の左端のほぼ中央には、先端に略半円形状に形成されている係止部材３ａが係止部材３ａの左端が左上がりとなるように取り付けた伸縮バンド３が取り付けられている。前記係止部材３ａの背面には係止具３ｂが取り付けられている。前記係止具３ｂは、背面のみの片面に取り付けられている。
また、前記ガードル本体２の右端には、先端に略半円形状の係止部材４ａが係止部材４ａの右端が右上がりとなるように取り付けた伸縮バンド４が取り付けられている。前記係止部材４ａの背面には係止具４ｂが取り付けられている。前記係止具４ｂは、背面のみの片面に取り付けられている。前記係止部材３ａ、４ａの先端は円形状に形成されているとともに、係止部材３ａ、４ａの各先端は左上がり又は右上がりとなるように、即ち、斜め上方向を向くように左右伸縮バンド３、４の先端に取り付けられている。
図２は、本発明である腰痛治療用ガードルの第１実施例を示し伸縮バンドを巻き付ける前の背面図である。図２に示すように、左伸縮バンド３は、左伸縮バンド３の先端部が左上がりの状態になるようにガードル本体２に取り付けられている。また、右伸縮バンド４は、右伸縮バンド４の先端部がやや右上がりの状態になるようにガードル本体２に取り付けられている。ガードル本体２の背面には、押え部１２は存在せず、中央にガードル本体２の上部にある帯１１から下方に縦方向に股間部２ａに達する縫着部２ｂが存在する。
そして、図３は本発明である腰痛治療用ガードルの第１実施例を示し伸縮バンドを巻き付けた後の正面図である。
図３に示すように、左係止部材７には、左伸縮バンド３の先端に取り付けられている係止部材３ａに取り付けられている係止具３ｂが係止させるとともに、右係止部材８には右係止部材４ａに取り付けられている係止具４ｂが係止させる。図４は、本発明である腰痛治療用ガードルの第１実施例を示し伸縮バンドを巻き付けた後の背面図である。ガードル本体２に取り付けられている左右伸縮バンド３、４は、背面の臀部２ｃの中心付近でＸ字状に交差させて巻き付けて使用する。
図３、図４に示したように、左右伸縮バンド３、４の先端に取り付けられている左右係止部材３ａ、４ａの係止具３ｂ、４ｂを左右係止部材７、８に係止する位置をややずらして係止させることにより伸縮バンド３、４の装着感の強弱を調整することができる。
図３に示したガードル本体２の正面につなぎ目１２ａ、１２ｂで縫着された押え部１２により太った人が本腰痛治療用ガードル１を装着し使用して座った場合、腹部が圧迫されることを防ぐために前記押え部１２が繋ぎ目１２ａ、１２ｂで前記押え部１２が、前方に広がりを持つことで微調節を行うことで腹部の圧迫を防ぐ。
図５から図８までは、本発明である腰痛治療用ガードルの第２実施例を示す。図５は本発明である腰痛治療用ガードルの第２実施例を示し伸縮バンドを巻き付ける前の正面図、図６は本発明である腰痛治療用ガードルの第２実施例を示し伸縮バンドを巻き付ける前の背面図、図７は本発明である腰痛治療用ガードルの第２実施例を示し伸縮バンドを巻き付けた後の正面図、図８は本発明である腰痛治療用ガードルの第２実施例を示し伸縮バンドを巻き付けた後の背面図である。
本第２実施例の腰痛治療用ガードル１ａと第１実施例の腰痛治療用ガードル１とが大きく異なる構成は、先端に左右係止具３ｂ、３ｃが背面に取り付けられている左右係止部材３ａ、４ａが先端に取り付けられている左右伸縮バンド３、４が１本ではなく、２本である点である。
即ち、図５に示すように、ガードル本体２の左端に上下左伸縮バンド３ｃ、３ｄの先端がやや左上がりの状態になるように取り付ける。前記上下左伸縮バンド３ｃ、３ｄの先端には背面に係止具３ｂが取り付けられている左係止部材３ａを先端がやや左上がりの状態に縫着して取り付ける。
また、ガードル本体２の右端に上下右伸縮バンド４ｃ、４ｄの先端がやや右上がりの状態になるように取り付ける。前記上下右伸縮バンド４ｃ、４ｄの先端には背面に係止具４ｂが取り付けられている右係止部材４ａを先端がやや左上がりの状態に縫着して取り付ける。
本第２実施例の腰痛治療用ガードル１ａの構成は、第１実施例の腰痛治療用ガードル１の構成と全く同じである。
図５から図８に示すように、左上下伸縮バンド３ｃ、３ｄ、４ｃ、４ｄを各２本とすることにより、人体の臀部を的確に押さえることができ骨盤が安定し、腰痛を防止することが可能となる。
本第２実施例の腰痛治療用ガードル１ａでは、左右伸縮バンド３、４は各２本としたが、必要に応じて３本、４本としてもよい。
図９は本発明である腰痛治療用ガードルの第３実施例を示し伸縮バンドを巻き付けた後の正面図である。
第３実施例である本腰痛治療用ガードル１ｂは、第１実施例に示した腰痛治療用ガードル１のガードル本体２の前面の股間部２ａの上方に開閉部１３を設けた構成としたものである。従って、その他の点については、第１実施例に示した腰痛治療用ガードル１と全く同一の構成である。
図９に示すように、ガードルの本体２の中央部の股間部２ａの真上に開閉部１３を設けることにより、男性が本例の腰痛治療用ガードル１ｂを付けた場合に排尿し易くするための構造としたものである。
図１０は、本発明である腰痛治療用ガードルの第４実施例を示し伸縮バンドを巻き付けた後の正面図である。第４実施例である本腰痛治療用ガードル１ｃは、第２実施例に示した腰痛治療用ガードル１ａのガードル本体２の前面の股間部２ａの上方に開閉部１３を設けた構成としたものである。従って、その他の点については、第２実施例に示した腰痛治療用ガードル１ａと全く同一の構成である。
図１０に示すように、ガードルの本体２の中央部の股間部２ａの真上に開閉部１３を設けることにより、男性が本例の腰痛治療用ガードル１ｃを付けた場合に排尿し易くしたものである。図１１は本発明である腰痛治療用ガードルの第３実施及び第４実施例に設けた開閉部の縦断面図、図１２は本発明である腰痛治療用ガードルの第３実施例及び第４実施例に設けた開閉部の他の実施例の縦断面図である。
図１１に示すように、開閉部１３は、ガードル本体２に取り付けられている下開閉片１４と上開閉片１５とからなる。前記下開閉片１４の外面には係止具１４ａが取り付けられているとともに、前記上開閉片１５の下端部の内面にも係止具１５ａが取り付けられている。本開閉部１３では、上開閉片１５が下開閉片１４の外側にある。
図１２に示した開閉部１３ａは、図１１に示した開閉部１３とは異なる構造の開閉部を示したものである。即ち、本例の開閉部１３ａでは、下開閉片１４の上端部の内面に係止具１４ａが取り付けられていて、上開閉片１５の下端部の外面に係止具１５ａが取り付けられている。そして、上開閉片１５の下端部は内方に、下開閉片１４の上端部は外方になって、上開閉片１５の係止具１５ａと下開閉片１４の係止具１４ａとが係止する。前記下開閉片１４の係止具１４ａと上開閉片１５の係止具１５ａとは着脱可能に係止する。
図１３は、本発明である腰痛治療用ガードルの第５実施例を示し伸縮バンドを巻き付ける前の背面図である。本例の腰痛治療用ガードル１ｄは、図１から図４までに示した第１実施例である腰痛治療用ガードル１のガードル本体２の背面に交差バンド部１６を設けた腰痛治療用ガードル１ｄである。
本例の腰痛治療用ガードル１ｄは、図１３に示すように、交差バンド部１６は、一端をガードル本体２の左大腿部６に縫着されている左交差バンド１６ａと、一端をガードル本体２の右大腿部５に縫着されている右交差バンド１６ｂと、前記左右交差バンド１６ａ、１６ｂの他端部を係止させるための左右係止部材１７、１７ａからなる。
前記左交差バンド１６ａは、左交差バンド１６ａの一端を左大腿部６に右上がりとなるように縫着するとともに、右交差バンド１６ｂの一端を右大腿部５に左上がりとなるように縫着する。そして、前記左右交差バンド１６ａ、１６ｂの先端部が係止可能なガードル本体２の背面の上部の所定位置に左右係止部材１７、１７ａを取り付ける。前記左交差バンド１６ａの先端部を右係止部材１７ａに、前記右交差バンド１６ｂの先端部を左係止部材１７に包み込むように係止すると、左右交差バンド１６ａ、１６ｂはＸ字状に交差する。
図１４は、本発明である腰痛治療用ガードルの第５実施例の交差バンドの縦断面図である。図１４に示すように、左右交差バンド１６ａ、１６ｂの一端はガードル本体２の背面に縫着されているとともに、他端部（先端部）には係止具１８、１８ａが取り付けられている。
ガードル本体２の背面で、前記左右交差バンド１６ａ、１６ｂの先端部が係止可能な位置に取り付けられている左右係止部材１７、１７ａは、断面形状がコ字状であり、ガードル本体２の背面にコ字状の左右係止部材１７、１７ａを構成する下係止片１７ｂ、１７ｃが縫着されている。前記左右係止部材１７、１７ａを構成する上係止片１７ｄ、１７ｅの内面及び前記下係止片１７ｂ、１７ｅの上面には、左右交差バンド１６ａ、１６ｂの先端部に取り付けてられている係止具１８、１８ａを係止させるための係止具が取り付けられている。
図１４に示すように、前記上係止片１７ｄ、１７ｅは、点線で示すように、上げ下げが可能である。このように、左右交差バンド１６、１６ｂの先端部をコ字状の左右係止部材１７、１７ａに包み込むようにして挟着し係止することができるのである。交差バンド部１６は、本発明である第２実施例の腰痛治療用ガードル１ａのガードル本体２の背面に取り付けてもよい。
図１５から図１７までは、本発明である腰痛治療用ガードルの第６実施例を示した図である。図１５は本発明である腰痛治療用ガードルの第６実施例を示し伸縮バンドを巻き付ける前の背面図、図１６は本発明である腰痛治療用ガードルの第６実施例の水平バンドの縦断面図、図１７は本発明である腰痛治療用ガードルの第６実施例に設けた水平バンドの他の実施例の縦断面図である。
図１５に示したように、本例の腰痛治療用ガードル１ｅは、図１から図４までに示した第１実施例である腰痛治療用ガードル１のガードル本体２の背面に水平バンド部１９を設けた腰痛治療用ガードルである。本例の腰痛治療用ガードル１ｅは、図１５に示すように、水平バンド部１９は、左右両端部に係止具２１、２１ａが取り付けられている水平バンド１９ａと、前記水平バンド１９ａを係止するためにガードル本体２の背面のほぼ中央部の左右位置に取り付けられている左右係止部材２０、２０ａとからなる。
前記水平バンド部１９の水平バンド１９ａは、左右伸縮バンド３、４とほぼ一直線となるように左右係止部材２０、２０ａが背面に取り付けられている。
図１６に示すように、ガードル本体２の背面の中央部に取り付けられている水平バンド部１９の左右係止部材２０、２０ａは縦断面形状がコ字状であり、下係止片２０ｂ、２０ｃに上係止片２０ｄ、２０ｅが連設されている。
前記左右係止部材２０、２０ａの上係止片２０ｄ、２０ｅと下係止片２０ｂ、２０ｃ間には係止具２０ｆ、２０ｇが取り付けられていて、水平バンド１９ａの左端部及び右端部に取り付けられている係止具１９ｂ、１９ｃを前記係止具２０ｆ、２０ｇに係止させて、水平バンド１９ａを前記左右係止部材２０、２０ａ間に着脱可能に取り付けることができる。
図１７に示すように、ガードル本体２の背面に取り付けられる左右係止部材２２、２２ａをコ字状の形状ではなく、平坦な形状の左右係止部材２２、２２ａとし、上面に係止具２２ｂ、２２ｃを取り付けた構造としてもよい。前記左右係止部材２２、２２ａ間に水平バンド１９ａを着脱する。係止部３ａ、４ａが縫着された前記伸縮バンド３、４は、図１５において左右１本だが、水平バンド部１９には水平バンド１９ａを１本のみではなく複数本の水平バンドを着脱できる構造としてもよい。
図１８は、本発明である腰痛治療用ガードルの第７実施例を示し伸縮バンドを巻き付ける前の背面図である。図１８に示すように、本例の腰痛治療用ガードル１ｆでは、ガードル本体２の背面の内側面にＨ字状型の整形部材２３を縫着した構成である。
本例の腰痛治療用ガードル１ｆは、第１実施例の腰痛治療用ガードル１のガードル本体２の背面の内側面に前記Ｈ字状型に形成された整形部材２３を縫着したものである。勿論、ガードル本体２の背面の表面に前記Ｈ字状型に形成された整形部材２３を縫着してもよい。前記整形部材２３は、左垂直片２３ａ、右垂直片２３ｂ及び水平片２３ｃから構成される。前記水平片２３ｃは、左垂直片２３ａと右垂直片２３ｂ間のほぼ中央に設けられている。
この整形部材２３をガードル本体２の背面の内側面に縫着するには、整形部材２３の左垂直片２３ａはガードル本体２の内側面の左端部に、右垂直片２３ｂはガードル本体２の内側面の右端部に、水平片２３ｃはほぼ股間部２ａの内側面に縫着する。このように、Ｈ字状型に形成された整形部材２３を背面の内側面に縫着することにより、本例の腰痛治療用ガードル１ｆを身に付けた際に、身体の腰部、臀部、大腿部等の整形をすることができるものである。Ｈ字状型の整形部材２３は、内側面に縫着するので身体に装着しても、見た目によく、下半身を極めて美しく見せることができるために、特に女性が使用するものと期待できる。
図１９は、本発明である腰痛治療用ガードルの第８実施例を示し伸縮バンドを巻き付ける前の背面図である。図１９に示すように、本例の腰痛治療用ガードル１ｆでは、ガードル本体２の背面の内側面にＨ字状型の整形部材２３を縫着した構成である。本例の腰痛治療用ガードル１ｆは、第２実施例である腰痛治療用ガードル１ａのガードル本体２の背面の内側面に前記Ｈ字状型に形成された整形部材２３を縫着したものである。
勿論、ガードル本体２の背面の表面となる外側に前記Ｈ字状型に形成された整形部材２３を縫着してもよい。前記整形部材２３は、左垂直片２３ａ、右垂直片２３ｂ及び水平片２３ｃから構成される。前記水平片２３ｃは、左垂直片２３ａと右垂直片２３ｂ間のほぼ中央に設けられている。この整形部材２３をガードル本体２の背面の内側面に縫着するには、整形部材２３の左垂直片２３ａはガードル本体２の内側面の左端部に、右垂直片２３ｂはガードル本体２の内側面の右端部に、水平片２３ｃはほぼ股間部２ａの内側面に縫着する。
このように、Ｈ字状型に形成された整形部材２３を背面の内側面に縫着することにより、本例の腰痛治療用ガードル１ｆを身に付けた際に、身体の腰部、臀部、大腿部等の整形をすることができるものである。Ｈ字状型の整形部材２３は、内側面に縫着するので身体に装着しても、見た目によく、下半身を極めて美しく見せることができるために、特に女性が使用するものと期待できる。
Ｈ字状型の整形部材２３は、第１実施例から第７実施例の腰痛治療用ガードル１〜１ｅに縫着してもよい。
産業上の利用可能性
本発明は、以上に説明したような構成であるから以下の効果が得られる。
第１に、本治療用ガードルは、本体に設けられたＶ字状のつなぎ目と、逆三角形状の押し部により圧迫感がない。
第２に、本腰痛治療用ガードルの１本ないし２本の幅広な左右伸縮バンドを臀部で交差させ正面の大腿部隣接付近で貼着することや、背面にＸ字状の伸縮バンドバンドないし、水平状に伸縮バンドを貼着し微調節できることで、左右の骨盤のバランスが向上し、大殿筋の補強とともに腰全体に予防から治癒、リハビリまで含めた包括医療を行うことで極めて短期間に治療・完治できる。
第３に、本腰痛治療用ガードルの上係止部材と、下係止部材の外周が縫着され中央重なり部分は、男性の排尿の際迅速かつ容易に開口することができる。
第４に、本腰痛治療用ガードルの左右側面、中央正面、中央背面の内部に伸縮性のない押上材を縫着することで下半身を極めて美しく見せる美容効果の機能性に優れた腰痛治療用ガードルを提供することを目的とするものである。
【図面の簡単な説明】
図１は本発明である腰痛治療用ガードルの第１実施例を示し伸縮バンドを巻き付ける前の正面図、図２は本発明である腰痛治療用ガードルの第１実施例を示し伸縮バンドを巻き付ける前の背面図、図３は本発明である腰痛治療用ガードルの第１実施例を示し伸縮バンドを巻き付けた後の正面図、図４は本発明である腰痛治療用ガードルの第１実施例を示し伸縮バンドを巻き付けた後の背面図、図５は本発明である腰痛治療用ガードルの第２実施例を示し伸縮バンドを巻き付ける前の正面図、図６は本発明である腰痛治療用ガードルの第２実施例を示し伸縮バンドを巻き付ける前の背面図、図７は本発明である腰痛治療用ガードルの第２実施例を示し伸縮バンドを巻き付けた後の正面図、図８は本発明である腰痛治療用ガードルの第２実施例を示し伸縮バンドを巻き付けた後の背面図、図９は本発明である腰痛治療用ガードルの第３実施例を示し伸縮バンドを巻き付けた後の正面図、図１０は本発明である腰痛治療用ガードルの第４実施例を示し伸縮バンドを巻き付けた後の正面図、図１１は本発明である腰痛治療用ガードルの第３実施及び第４実施例に設けた開閉部の縦断面図、図１２は本発明である腰痛治療用ガードルの第３実施例及び第４実施例に設けた開閉部の他の実施例の縦断面図、図１３は本発明である腰痛治療用ガードルの第５実施例を示し伸縮バンドを巻き付ける前の背面図、図１４は本発明である腰痛治療用ガードルの第５実施例の交差バンドの縦断面図、図１５は本発明である腰痛治療用ガードルの第６実施例を示し伸縮バンドを巻き付ける前の背面図、図１６は本発明である腰痛治療用ガードルの第６実施例の水平バンドの縦断面図、図１７は本発明である腰痛治療用ガードルの第６実施例に設けた水平バンドの他の実施例の縦断面図、図１８は本発明である腰痛治療用ガードルの第７実施例を示し伸縮バンドを巻き付ける前の背面図、図１９は本発明である腰痛治療用ガードルの第８実施例を示し伸縮バンドを巻き付ける前の背面図である。
【図１】
2002049549.tif 000003
【図２】
2002049549.tif 000004
【図３】
2002049549.tif 000005
【図４】
2002049549.tif 000006
【図５】
2002049549.tif 000007
【図６】
2002049549.tif 000008
【図７】
2002049549.tif 000009
【図８】
2002049549.tif 000010
【図９】
2002049549.tif 000011
【図１０】
2002049549.tif 000012
【図１１】
2002049549.tif 000013
【図１２】
2002049549.tif 000014
【図１３】
2002049549.tif 000015
【図１４】
2002049549.tif 000016
【図１５】
2002049549.tif 000017
【図１６】
2002049549.tif 000018
【図１７】
2002049549.tif 000019
【図１８】
2002049549.tif 000020
【図１９】
2002049549.tif 000021
【国際調査報告】
2002049549.tif 000022
2002049549.tif 000023
2002049549.tif 000024
2002049549.tif 000025